【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
メディア装置インターフェース機能の拡張を容易にするためのシステムであって、
第二のメディア装置に通信可能に結合可能であるように構成された第一のメディア装置であって、さらに、
１つ以上のマルチメディア装置とインターフェースするように構成された１つ以上のインターフェースポートの第一の集合を認識し、
前記第二のメディア装置が前記第一のメディア装置に通信可能に結合されるとき、前記第二のメディア装置を認識し、
前記第二のメディア装置によって提供される１つ以上のインターフェースポートの第二の集合を決定し、
前記第一の集合および前記第二の集合に少なくとも部分的に基づいて、インターフェースポートの第三の集合を決定し、
インターフェースポートの前記第三の集合に少なくとも部分的に基づいて構成情報を生成し、
インターフェースポートの前記第三の集合に少なくとも部分的に基づいてインターフェース選択肢の指示を容易にするために表示装置に前記構成情報を提供し、および、
前記第二のメディア装置によって提供される１つ以上のインターフェースポートの前記第二の集合のうちの少なくとも１つのインターフェースポートを介して聴覚および／または視覚データに少なくとも部分的に基づいて前記表示装置にコンテンツを提供するように動作する、
ように構成された第一のメディア装置を含む、
システム。
【請求項２】
請求項１に記載のメディア装置インターフェース機能の拡張を容易にするためのシステムであって、
前記第二のメディア装置は、テレビジョン、テレビジョン受信機、セットトップボックス、および／または、メディアプレイヤーのうちの１つ以上を含む、
システム。
【請求項３】
請求項１に記載のメディア装置インターフェース機能の拡張を容易にするためのシステムであって、
１つ以上の出力ポートの集合と、
１つ以上の追加のマルチメディア装置とインターフェースするように構成された２つ以上の入力ポートの集合であって、１つ以上のインターフェースポートの前記集合に少なくとも部分的に対応する２つ以上の入力ポートの集合と、
を有するメディアスイッチを含む前記第二のメディア装置、
をさらに含むシステム。
【請求項４】
請求項１に記載のメディア装置インターフェース機能の拡張を容易にするためのシステムであって、
前記第二のメディア装置をさらに含み、前記第二のメディア装置は、
１つ以上の出力ポートの集合と、
１つ以上の追加のマルチメディア装置とインターフェースするように構成された１つ以上の入力ポートの集合であって、１つ以上のインターフェースポートの前記集合に少なくとも部分的に対応する１つ以上の入力ポートの集合と、
を有する、テレビジョン受信機、セットトップボックス、および／または、メディアプレイヤーのうちの１つ以上を含む、
システム。
【請求項５】
請求項１に記載のメディア装置インターフェース機能の拡張を容易にするためのシステムであって、
前記第二のメディア装置によって提供される１つ以上のインターフェースポートの前記第二の集合を前記決定することは、
前記第二のメディア装置の１つ以上の機能に関する情報を指示する、前記第二のメディア装置からの第一の指示を処理することを含む、
システム。
【請求項６】
請求項４に記載のメディア装置インターフェース機能の拡張を容易にするためのシステムであって、
前記第二のメディア装置の１つ以上の機能に関する前記情報は、ポートの数および１つ以上のポートタイプに関する情報を含む、
システム。
【請求項７】
請求項１に記載のメディア装置インターフェース機能の拡張を容易にするためのシステムであって、
インターフェースポートの前記第三の集合に少なくとも部分的に基づいたインターフェース選択肢の前記指示は、１つ以上のポートタイプを指示する、
システム。
【請求項８】
請求項１に記載のメディア装置インターフェース機能の拡張を容易にするためのシステムであって、
前記第二のメディア装置によって提供される１つ以上のインターフェースポートの前記第二の集合を前記決定することは、
前記第二のメディア装置に結び付けられるアドレスを指示する、前記第二のメディア装置からの第二の指示を処理することを含む、
システム。
【請求項９】
メディア装置インターフェース機能の拡張を容易にするための方法であって、
第一のメディア装置によって、１つ以上のマルチメディア装置とインターフェースするように構成された１つ以上のインターフェースポートの第一の集合を認識することと、
前記第一のメディア装置によって、第二のメディア装置が前記第一のメディア装置に通信可能に結合されるとき、前記第二のメディア装置を認識することと、
前記第一のメディア装置によって、前記第二のメディア装置によって提供される１つ以上のインターフェースポートの第二の集合を決定することと、
前記第一のメディア装置によって、前記第一の集合および前記第二の集合に少なくとも部分的に基づいて、インターフェースポートの第三の集合を決定することと、
前記第一のメディア装置によって、インターフェースポートの前記第三の集合に少なくとも部分的に基づいて構成情報を生成することと、
前記第一のメディア装置によって、インターフェースポートの前記第三の集合に少なくとも部分的に基づいてインターフェース選択肢の指示を容易にするために表示装置に前記構成情報を提供することと、
前記第一のメディア装置によって、前記第二のメディア装置によって提供される１つ以上のインターフェースポートの前記第二の集合のうちの少なくとも１つのインターフェースポートを介して聴覚および／または視覚データに少なくとも部分的に基づいて前記表示装置にコンテンツを提供するように動作することと、
を含む方法。
【請求項１０】
請求項９に記載のメディア装置インターフェース機能の拡張を容易にするための方法であって、
前記第二のメディア装置は、テレビジョン、テレビジョン受信機、セットトップボックス、および／または、メディアプレイヤーのうちの１つ以上を含む、
方法。
【請求項１１】
請求項９に記載のメディア装置インターフェース機能の拡張を容易にするための方法であって、
前記第二のメディア装置は、
１つ以上の出力ポートの集合と、
１つ以上の追加のマルチメディア装置とインターフェースするように構成された２つ以上の入力ポートの集合であって、１つ以上のインターフェースポートの前記集合に少なくとも部分的に対応する２つ以上の入力ポートの集合と、
を有するメディアスイッチを含む、
方法。
【請求項１２】
請求項９に記載のメディア装置インターフェース機能の拡張を容易にするための方法であって、
前記第二のメディア装置は、
１つ以上の出力ポートの集合と、
１つ以上の追加のマルチメディア装置とインターフェースするように構成された１つ以上の入力ポートの集合であって、１つ以上のインターフェースポートの前記集合に少なくとも部分的に対応する１つ以上の入力ポートの集合と、
を有する、テレビジョン受信機、セットトップボックス、および／または、メディアプレイヤーのうちの１つ以上を含む、
方法。
【請求項１３】
請求項９に記載のメディア装置インターフェース機能の拡張を容易にするための方法であって、
前記第二のメディア装置によって提供される１つ以上のインターフェースポートの前記第二の集合を前記決定することは、
前記第二のメディア装置の１つ以上の機能に関する情報を指示する、前記第二のメディア装置からの第一の指示を処理することを含む、
方法。
【請求項１４】
請求項１３に記載のメディア装置インターフェース機能の拡張を容易にするための方法であって、
前記第二のメディア装置の１つ以上の機能に関する前記情報は、ポートの数および１つ以上のポートタイプに関する情報を含む、
方法。
【請求項１５】
請求項９に記載のメディア装置インターフェース機能の拡張を容易にするための方法であって、
インターフェースポートの前記第三の集合に少なくとも部分的に基づいたインターフェース選択肢の前記指示は、１つ以上のポートタイプを指示する、
方法。
【請求項１６】
請求項９に記載のメディア装置インターフェース機能の拡張を容易にするための方法であって、
前記第二のメディア装置によって提供される１つ以上のインターフェースポートの前記第二の集合を前記決定することは、
前記第二のメディア装置に結び付けられるアドレスを指示する、前記第二のメディア装置からの第二の指示を処理することを含む、
方法。
【請求項１７】
１つ以上の処理装置によって実行されるときにメディア装置インターフェース機能の拡張を容易にする機械読み取り可能な命令を有する非一時的で機械読み取り可能な１つ以上の媒体であって、前記機械読み取り可能な命令は、前記１つ以上の処理装置に、
１つ以上のマルチメディア装置とインターフェースするように構成された１つ以上のインターフェースポートの第一の集合を認識することと、
第二のメディア装置が前記１つ以上の処理装置に通信可能に結合されるとき、前記第二のメディア装置を認識することと、
前記第二のメディア装置によって提供される１つ以上のインターフェースポートの第二の集合を決定することと、
前記第一の集合および前記第二の集合に少なくとも部分的に基づいて、インターフェースポートの第三の集合を決定することと、
インターフェースポートの前記第三の集合に少なくとも部分的に基づいて構成情報を生成することと、
インターフェースポートの前記第三の集合に少なくとも部分的に基づいてインターフェース選択肢の指示を容易にするために表示装置への前記構成情報の提供を引き起こすことと、
前記第二のメディア装置によって提供される１つ以上のインターフェースポートの前記第二の集合のうちの少なくとも１つのインターフェースポートを介して聴覚および／または視覚データに少なくとも部分的に基づいて前記表示装置へのコンテンツの提供を引き起こすことと、
をさせる、媒体。
【請求項１８】
請求項１７に記載の、非一時的で機械読み取り可能な１つ以上の媒体であって、
前記第二のメディア装置によって提供される１つ以上のインターフェースポートの前記第二の集合を前記決定することは、
前記第二のメディア装置の１つ以上の機能に関する情報を指示する、前記第二のメディア装置からの第一の指示を処理することを含む、
媒体。
【請求項１９】
請求項１８に記載の、非一時的で機械読み取り可能な１つ以上の媒体であって、
前記第二のメディア装置の１つ以上の機能に関する前記情報は、ポートの数および１つ以上のポートタイプに関する情報を含む、
媒体。
【請求項２０】
請求項１７に記載の、非一時的で機械読み取り可能な１つ以上の媒体であって、
前記第二のメディア装置によって提供される１つ以上のインターフェースポートの前記第二の集合を前記決定することは、
前記第二のメディア装置に結び付けられるアドレスを指示する、前記第二のメディア装置からの第二の指示を処理することを含む、
媒体。